(57)【要約】  情報記録媒体（１００）は、記録情報を記録するための複数の記録層（Ｌ０層、Ｌ１層）を備えており、複数の記録層の夫々には、夫々の記録層の性質を示す性質情報（２００）が記録されている。【特許請求の範囲】
【請求項１】
記録情報を記録するための複数の記録層を備えており、
前記複数の記録層の夫々には、該夫々の記録層の性質を示す性質情報が記録されていることを特徴とする情報記録媒体。
【請求項２】
前記複数の記録層の夫々は、前記記録情報を記録するためのデータ記録エリアを備えており、
前記性質情報は、前記夫々の記録層における前記データ記録エリア全体に分布するように記録されていることを特徴とする請求の範囲第１項に記載の情報記録媒体。
【請求項３】
前記性質情報は、前記夫々の記録層全体に分布するように記録されていることを特徴とする請求の範囲第１項に記載の情報記録媒体。
【請求項４】
前記性質情報は、該性質情報が記録されている記録領域部分における前記性質を示すことを特徴とする請求の範囲第１項に記載の情報記録媒体。
【請求項５】
前記性質情報は、該性質情報が記録されている記録領域部分及び該記録領域部分の近傍における前記性質を示すことを特徴とする請求の範囲第１項に記載の情報記録媒体。
【請求項６】
前記性質情報は、前記夫々の記録層を識別する層識別フラグを含むことを特徴とする請求の範囲第１項に記載の情報記録媒体。
【請求項７】
前記性質情報は、前記夫々の記録層の記録タイプの種別を示すタイプフラグを含むことを特徴とする請求の範囲第１項に記載の情報記録媒体。
【請求項８】
前記性質情報は、前記夫々の記録層における記録トラックの進行方向を示すトラック方向フラグを含むことを特徴とする請求の範囲第１項に記載の情報記録媒体。
【請求項９】
前記性質情報は、前記夫々の記録層におけるアドレス情報の記録態様を示すアドレスフラグを含むことを特徴とする請求の範囲第１項に記載の情報記録媒体。
【請求項１０】
前記性質情報は、当該情報記録媒体の記録トラック上に形成されるプリピットにより記録されていることを特徴とする請求の範囲第１項に記載の情報記録媒体。
【請求項１１】
前記性質情報は、所定周期で揺動する当該情報記録媒体の記録トラックに加えられる変調信号により記録されていることを特徴とする請求の範囲第１項に記載の情報記録媒体。
【請求項１２】
記録情報を記録するための複数の記録層を備えており、前記複数の記録層の夫々には、該夫々の記録層の性質を示す性質情報が記録されている情報記録媒体より、前記性質情報を取得する取得手段と、
前記取得された性質情報に基づいて、前記記録情報を記録する記録手段と
を備えることを特徴とする情報記録装置。
【請求項１３】
前記性質情報は、前記夫々の記録層の識別番号を示す層識別フラグを含んでおり、
前記取得手段は、前記層識別フラグを取得し、
前記記録手段は、前記取得された層識別フラグに基づいて前記複数の記録層のうち所望の記録層に前記記録情報を記録することを特徴とする請求の範囲第１２項に記載の情報記録装置。
【請求項１４】
請求の範囲第１２項に記載の情報記録装置に備えられたコンピュータを制御する記録制御用のコンピュータプログラムであって、該コンピュータを、前記取得手段及び前記記録手段のうち少なくとも一部として機能させることを特徴とするコンピュータプログラム。
【発明の詳細な説明】
【技術分野】
【０００１】
本発明は、例えばＤＶＤ等の情報記録媒体、例えばＤＶＤレコーダ等の情報記録装置及び方法、コンピュータをこのような情報記録装置として機能させるコンピュータプログラムの技術分野に関する。
【背景技術】
【０００２】
例えば、ＣＤ−ＲＯＭ（Compact Disc−Read Only Memory）、ＣＤ−Ｒ（Compact Disc−Recordable）、ＤＶＤ−ＲＯＭなどの光ディスク等の情報記録媒体では、特許文献１、２等に記載されているように、同一基板上に複数の記録層が積層されてなる多層型若しくはダブルレイヤ又はマルチプルレイヤ型の光ディスク等の開発が進められている。より具体的には、２層型の光ディスクは、一層目として、情報記録装置で記録される際のレーザ光の照射側から見て最も手前側（即ち、光ピックアップに近い側）に位置する第１記録層（本願では適宜「Ｌ０層」と称する）を有しており、更にその奥側（即ち、光ピックアップから遠い側）に位置する半透過反射膜を有する。二層目として、該半透過反射膜の奥側に接着層等の中間層を介して位置する第２記録層（本願では適宜「Ｌ１層」と称する）を有しており、更にその奥側に位置する反射膜を有する。そして、このような二層型の光ディスクを記録する、ＣＤレコーダ等の情報記録装置では、Ｌ０層に対して記録用のレーザ光を集光することで、Ｌ０層に対して情報を加熱等による非可逆変化記録方式や書換え可能方式で記録し、Ｌ１層に対して該レーザ光を集光（フォーカシング）することで、Ｌ１層に対して情報を加熱等による非可逆変化記録方式や書換え可能方式で記録することになる。【０００３】
【特許文献１】特開２０００−３１１３４６号公報
【特許文献２】特開２００１−２３２３７号公報
【発明の開示】
【発明が解決しようとする課題】
【０００４】
しかしながらこのような多層型の光ディスクのうち例えばＤＶＤ−Ｒ等の記録可能型の光ディスクに関しては、２００４年７月時点において、未だ開発の段階であって実用化がなされていない。すでに実用化されている１層型のＤＶＤ−Ｒでは、ディスクが単層構造であることを示す情報がリードインエリアに記録されている。多層型の光ディスクにおいて、仮に多層型であることを示す情報等がリードインエリアに記録されていたとしても、例えば記録動作が実行される際に、本来記録動作の対象となる記録層とは異なる記録層にレーザ光をフォーカシングしてしまった場合、そのことを情報記録再生装置側で認識することができず、適切な記録動作を行うことができないという問題点を有している。【０００５】
本発明は、例えば上述した従来の問題点に鑑みなされたものであり、例えば多層型の情報記録媒体に対して好適にデータの記録や再生等を行うことが可能な情報記録媒体、情報記録装置、並びにコンピュータをこのような情報記録装置として機能させるコンピュータプログラムを提供することを課題とする。
【課題を解決するための手段】
【０００６】
（情報記録媒体）
本発明の情報記録媒体は上記課題を解決するために、記録情報を記録するための複数の記録層を備えており、前記複数の記録層の夫々には、該夫々の記録層の性質を示す性質情報が記録されている。【０００７】
本発明の情報記録媒体によれば、例えば２つの、３つの或いはそれ以上の複数の記録層を有しており、各記録層に記録情報を記録することが可能である。【０００８】
本発明では特に、各記録層には、各記録層の性質（或いは、各記録層の状態・特徴・特質等であって、具体的には例えば後述する記録層の識別番号や記録層の記録タイプの種別やトラックの進行方向やアドレス情報の記録態様等）を示す性質情報が記録されている。例えば情報記録媒体が一の記録層と他の記録層とを有していれば、一の記録層には一の記録層の性質を示す性質情報が記録されており、他の記録層には他の記録層の性質を示す性質情報が記録されている。３つ以上の複数の記録層を有していても、同様の態様で性質情報が記録されている。【０００９】
従って、例えば後述の情報記録装置が一の記録層に記録情報を記録している際には、記録動作と並行して一の記録層に記録されている性質情報（即ち、一の記録層の性質を示す性質情報）を比較的容易に参照できる。そして、この性質情報を参照しながら、より好適な態様で一の記録層に記録情報を記録できるよう、その記録動作の態様を適宜調整することができる。【００１０】
以上の結果、本発明に係る情報記録媒体によれば、複数の記録層の夫々に、夫々の記録層の性質を示す性質情報が記録されているため、該性質情報に基づいてより好適な記録動作を実現することができる。【００１１】
尚、本発明に係る情報記録媒体は、その複数の記録層が有する記録領域のうち少なくとも一部の記録領域は記録型である（即ち、再生専用型でない）ことが好ましい。【００１２】
本発明の情報記録媒体の他の態様は、前記複数の記録層の夫々は、前記記録情報を記録するためのデータ記録エリアを備えており、前記性質情報は、前記夫々の記録層における前記データ記録エリア全体に分布するように記録されている。【００１３】
この態様によれば、例えば後述の情報記録装置の動作によるデータエリアへの記録情報の記録動作の際に、記録動作に並行してリアルタイムに性質情報を取得することができる。即ち、例えばリードインエリア等の如く、情報記録媒体上の特定の記録領域にわざわざアクセスして性質情報を取得する必要がない。従って、より迅速に（或いは、即座に又は瞬時に）性質情報を取得することができ、その結果、多層型の情報記録媒体に対して好適な記録動作を行なうことが可能となる。【００１４】
本発明の情報記録媒体の他の態様は、前記性質情報は、前記夫々の記録層全体に分布するように記録されている。【００１５】
この態様によれば、例えば後述の情報記録装置の記録動作の際に、該記録動作に並行してリアルタイムに性質情報を取得することができる。即ち、例えばリードインエリア等の如く、情報記録媒体上の特定の記録領域にわざわざアクセスして性質情報を取得する必要がない。従って、より迅速に（或いは、即座に又は瞬時に）性質情報を取得することができ、その結果、多層型の情報記録媒体に対して好適な記録動作を行なうことが可能となる。【００１６】
本発明の情報記録媒体の他の態様は、前記性質情報は、前記夫々の記録層の少なくとも一部に記録されている。【００１７】
この態様によれば、例えば後述の情報記録装置の記録動作の際に、記録動作に並行してリアルタイムに性質情報を取得することを可能としつつも、性質情報の記録に必要な記録容量を削減することができる。従って、多層型の情報記録媒体に対して好適な記録動作を行なうことが可能となる。【００１８】
本発明の情報記録媒体の他の態様は、前記性質情報は、繰り返し複数記録されている。【００１９】
この態様によれば、例えば後述の情報記録装置の記録動作の際に、記録動作に並行してリアルタイムに性質情報を取得することができる。即ち、例えばリードインエリア等の如く、情報記録媒体上の特定の記録領域にわざわざアクセスして性質情報を取得する必要がない。従って、より迅速に（或いは、即座に又は瞬時に）性質情報を取得することができ、その結果、多層型の情報記録媒体に対して好適な記録動作を行なうことが可能となる。【００２０】
本発明の情報記録媒体の他の態様は、前記性質情報は、該性質情報が記録されている記録領域部分における前記性質を示す。【００２１】
この態様によれば、情報記録媒体の記録層の一部に相当する記録領域部分毎の性質を示す性質情報が記録されている。従って、所定の記録領域部分に記録情報を記録している際に、記録動作に並行して該記録領域部分の性質を示す性質情報を取得することができる。その結果、迅速に（或いは、即座に又は瞬時に）性質情報を取得することができる。【００２２】
本発明の情報記録媒体の他の態様は、前記性質情報は、該性質情報が記録されている記録領域部分及び該記録領域部分の近傍における前記性質を示す。【００２３】
この態様によれば、所定の記録領域部分に記録情報を記録している際に、記録動作に並行して該記録領域部分の性質を示す性質情報を取得することができる。その結果、迅速に（或いは、即座に又は瞬時に）性質情報を取得することができる。【００２４】
本発明の情報記録媒体の他の態様は、前記性質情報は、前記夫々の記録層を識別する層識別フラグ（例えば、後述のレイヤフラグやレイヤナンバーフラグ）を含む。【００２５】
この態様によれば、層識別フラグに基づいて、複数の記録層の夫々を識別することができる。従って、例えば誤って意図しない記録層へレーザ光がフォーカシングされた場合等においても、誤った記録層にフォーカシングされていることを比較的容易に且つ迅速に（或いは、即座に又は瞬時に）認識することができる。【００２６】
本発明の情報記録媒体の他の態様は、前記性質情報は、前記夫々の記録層の記録タイプの種別を示すタイプフラグ（例えば、後述のメディアフラグ等）を含む。【００２７】
この態様によれば、タイプフラグに基づいて、各記録層の（或いは、各記録層の一部に相当する記録領域部分の）記録タイプの種別（例えば、書換可能型、追記型或いは再生専用型等の種別）を比較的容易に且つ迅速に（或いは、即座に又は瞬時に）認識することができる。【００２８】
本発明の情報記録媒体の他の態様は、前記性質情報は、前記夫々の記録層における記録トラックの進行方向を示すトラック方向フラグを含む。【００２９】
この態様によれば、トラック方向フラグに基づいて、各記録層の（或いは、各記録層の一部に相当する記録領域部分の）トラックの進行方向を比較的容易に且つ迅速に（或いは、即座に又は瞬時に）認識することができる。【００３０】
本発明の情報記録媒体の他の態様は、前記性質情報は、前記夫々の記録層におけるアドレス情報の記録態様を示すアドレスフラグ（例えば、後述のアドレッシングフラグ等）を含む。【００３１】
この態様によれば、アドレスフラグに基づいて、各記録層の（或いは、各記録層の一部に相当する記録領域部分の）アドレス情報の記録態様を比較的容易に且つ迅速に（或いは、即座に又は瞬時に）認識することができる。【００３２】
本発明の情報記録媒体の他の態様は、前記性質情報は、当該情報記録媒体の記録トラック上に形成されるプリピット（例えば後述のランドプリピット）により記録されている。【００３３】
この態様によれば、例えばＤＶＤ−Ｒ／ＲＷ等の情報記録媒体に対して、性質情報を適切に記録することができる。【００３４】
本発明の情報記録媒体の他の態様は、前記性質情報は、所定周期で揺動する当該情報記録媒体の記録トラックに加えられる変調信号により記録されている。【００３５】
この態様によれば、例えばＤＶＤ＋Ｒ／ＲＷ等の情報記録媒体に対して、性質情報を適切に記録することができる。【００３６】
（情報記録装置）
本発明の情報記録装置は上記課題を解決するために、上述した本発明の情報記録媒体（但し、その各種態様を含む）に前記記録情報を記録する情報記録装置であって、前記性質情報を取得する取得手段と、前記取得された性質情報に基づいて、前記記録情報を記録する記録手段とを備える。【００３７】
本発明の情報記録装置によれば、取得手段の動作によって性質情報を取得しながら、記録手段の動作により記録情報を情報記録媒体に対して記録することができる。特に、取得手段により取得された性質情報に基づいて、より好適な態様で記録情報を記録するような記録動作が行なわれる。従って、上述した本発明に係る情報記録媒体が有する各種利益と同様の利益を享受することが可能となる。【００３８】
尚、上述した本発明の情報記録媒体の各種態様に対応して、本発明の情報記録装置も各種態様を採ることが可能である。【００３９】
本発明の情報記録装置の一の態様では、前記性質情報は、前記夫々の記録層の識別番号を示す層識別フラグを含んでおり、前記取得手段は、前記層識別フラグを取得し、前記記録手段は、前記取得された層識別フラグに基づいて前記複数の記録層のうち所望の記録層に前記記録情報を記録する。【００４０】
この態様によれば、層識別フラグに基づいて、複数の記録層の夫々を識別することができる。従って、例えば誤って意図しない記録層へレーザ光がフォーカシングされた場合等においても、誤った記録層にフォーカシングされていることを比較的容易に且つ迅速に（或いは、即座に又は瞬時に）認識することができる。或いは、記録動作の開始時より本来レーザ光がフォーカシングされるべき記録層へ適切にフォーカシングすることができる。これにより、複数の記録層を有する情報記録媒体に対しても、所望の記録層に好適に記録情報を記録することができる。【００４１】
（情報記録方法）
本発明の情報記録方法は上記課題を解決するために、記録情報を記録するための複数の記録層を備えており、前記複数の記録層の夫々には、該夫々の記録層の性質を示す性質情報が記録されている情報記録媒体に前記記録情報を記録する情報記録方法であって、前記性質情報を取得する取得工程と、前記取得された性質情報に基づいて、前記記録情報を記録する記録工程とを備える。【００４２】
本発明の情報記録方法によれば、上述した本発明の情報記録装置と同様の各種利益を享受することができる。【００４３】
尚、上述した本発明の情報記録装置における各種態様に対応して、本発明に係る情報記録方法も各種態様を採ることが可能である。【００４４】
本発明の情報記録方法の一の態様は、前記性質情報は、前記夫々の記録層の識別番号を示す層識別フラグを含んでおり、前記取得工程において、前記層識別フラグを取得し、前記記録工程において、前記取得された層識別フラグに基づいて前記複数の記録層のうち所望の記録層に前記記録情報を記録する。【００４５】
この態様によれば、層識別フラグに基づいて、複数の記録層の夫々を識別することができる。従って、例えば誤って意図しない記録層へレーザ光がフォーカシングされた場合等においても、誤った記録層にフォーカシングされていることを比較的容易に且つ迅速に（或いは、即座に又は瞬時に）認識することができる。或いは、記録動作の開始時より本来フォーカシングされるべき記録層へ適切にフォーカシングすることができる。これにより、複数の記録層を有する情報記録媒体に対しても、所望の記録層に好適に記録情報を記録することができる。【００４６】
（コンピュータプログラム）
本発明に係るコンピュータプログラムは上記課題を解決するために、コンピュータを上述した情報記録装置（但し、その各種形態も含む）の少なくとも一部として機能させる。具体的には、コンピュータを上述の取得手段及び記録手段の少なくとも一部として機能させる。【００４７】
本発明に係るコンピュータプログラムによれば、当該コンピュータプログラムを格納するＲＯＭ、ＣＤ−ＲＯＭ、ＤＶＤ−ＲＯＭ、ハードディスク等の記録媒体から、当該コンピュータプログラムをコンピュータに読み込んで実行させれば、或いは、当該コンピュータプログラムを、通信手段を介してコンピュータにダウンロードさせた後に実行させれば、上述した本発明の情報記録装置を比較的簡単に実現できる。【００４８】
尚、上述した本発明の情報記録装置における各種態様に対応して、本発明のコンピュータプログラムも各種態様を採ることが可能である。【００４９】
本発明のこのような作用及び他の利得は次に説明する実施例から更に明らかにされる。【００５０】
以上説明したように、本発明の情報記録媒体によれば、夫々の記録層毎に性質情報が記録されている。従って、性質情報に基づいてより好適な記録動作を実現することができる。【００５１】
以上説明したように、本発明の情報記録装置によれば、取得手段及び記録手段を備える。従って、性質情報を参照しながら、本発明に係る情報記録媒体に対して好適に記録情報を記録することが可能となる。
【図面の簡単な説明】
【００５２】
【図１】本発明の情報記録媒体の実施例に係る複数の記録領域を有する光ディスクの基本構造を示した概略平面図であり、該光ディスクの概略断面図と、これに対応付けられた、その半径方向における記録領域構造の図式的概念図である。
【図２】本実施例に係る光ディスクの記録面における部分拡大斜視図である。
【図３】本実施例に係る光ディスクに形成されているウォブル及びＬＰＰを再生した際の再生信号を示す説明図である。
【図４】本実施例に係る光ディスクに記録されているプリピットデータのデータ構造及びデータ内容を示す説明図である。
【図５】本実施例に係る光ディスクに記録されているプリピットデータのより詳細なデータ構造を示す説明図である。
【図６】本実施例に係るプリピットデータに含まれるレイヤ情報のより詳細なデータ構造及びデータ内容を示す説明図である。
【図７】変形例に係るプリピットデータに含まれるレイヤ情報のより詳細なデータ構造及びデータ内容を示す説明図である
【図８】本発明の情報記録装置に係る実施例にとしての情報記録再生装置及びホストコンピュータのブロック図である。
【図９】本実施例に係る情報記録再生装置の記録動作記録動作全体の流れを概念的に示すフローチャートである。
【図１０】本実施例に係る情報記録再生装置のレイヤジャンプ動作の流れを概念的に示すフローチャートである。
【図１１】本実施例に係る情報記録再生装置の記録中断動作の流れを概念的に示すフローチャートである。
【符号の説明】
【００５３】
１００  光ディスク
２００  レイヤ情報
２１０  レイヤフラグ
２２０  メディアフラグ
２３０  レイヤナンバーフラグ
２４０  トラック方向フラグ
２５０  アドレッシングフラグ
３００  情報記録再生装置
３５２  光ピックアップ
３５３  信号記録再生手段
３５４  ＣＰＵ
Ｌ０層  第１記録層
Ｌ１層  第２記録層
ＬＰＰ  ランドプリピット
【発明を実施するための最良の形態】
【００５４】
以下、本発明を実施するための最良の形態について実施例毎に順に図面に基づいて説明する。【００５５】
以下、本発明の実施例を図面に基づいて説明する。【００５６】
（情報記録媒体）
初めに、図１から図６を参照して本発明の情報記録媒体に係る実施例について説明を進める。
（１）基本構成
先ず図１から図３を参照して、本発明の情報記録媒体の実施例に係る光ディスクの基本構造について説明する。ここに、図１（ａ）は、本発明の情報記録媒体の実施例に係る複数の記録領域を有する光ディスクの基本構造を示した概略平面図であり、図１（ｂ）は、該光ディスクの概略断面図と、これに対応付けられた、その半径方向における記録領域構造の図式的概念図であり、図２は、本実施例に係る光ディスクの記録面における部分拡大斜視図であり、図３は、本実施例に係る光ディスクに形成されているウォブル及びＬＰＰを再生した際の再生信号を示す説明図である。【００５７】
図１（ａ）及び図１（ｂ）に示されるように、光ディスク１００は、例えば、ＤＶＤと同じく直径１２ｃｍ程度のディスク本体上の記録面に、センターホール１０１を中心としてリードインエリア１０２又はリードアウトエリア１０８、データ記録エリア１０５並びにリードアウトエリア１０８又はミドルエリア１０９が設けられている。そして、例えばセンターホール１０１を中心にスパイラル状或いは同心円状に、例えばグルーブトラック及びランドトラック等のトラックが交互に設けられている。また、このトラック上には、データがＥＣＣブロックという単位で分割されて記録される。ＥＣＣブロックは、エラー訂正可能なデータ管理単位である。【００５８】
尚、本発明は、このような三つのエリアを有する光ディスクには特に限定されない。例えば、リードインエリア１０２、リードアウトエリア１０８又はミドルエリア１０９が存在せずとも、以下に説明するデータ構造等の構築は可能である。また、リードインエリア１０２、リードアウトエリア１０８又はミドルエリア１０９は更に細分化された構成であってもよい。【００５９】
特に、本実施例に係る光ディスク１００は、図１（ｂ）に示されるように、例えば、透明基板１１０に、後述される本発明に係る第１及び第２記録層の一例を構成するＬ０層及びＬ１層が積層された構造をしている。このような２層型の光ディスク１００の記録再生時には、図１（ｂ）中、上側から下側に向かって照射されるレーザ光ＬＢの集光位置（即ち、フォーカス位置）をいずれの記録層に合わせるかに応じて、Ｌ０層においてデータの記録再生が行なわれるか又はＬ１層においてデータの記録再生が行われる。【００６０】
図２に示すように、本実施例に係る光ディスク１００では、複数のデータ記録エリア１０５等が例えば積層構造に形成される２層型の光ディスクとして構成されている。ここに、図２は、第１実施例の光ディスクの記録面における部分拡大斜視図である。【００６１】
図２において、本実施例では、光ディスク１００は、ディスク状の透明基板１１０上に（図２では下側に）、情報記録面を構成する加熱などによる非可逆変化記録型の第１記録層１１７（即ち、Ｌ０層）が積層され、更にその上に（図２では下側）に、半透過反射膜１１８が積層されている。更に、第１記録層１１７の上に第２記録層１２７（即ち、Ｌ１層）が積層されている。具体的には、半透過反射幕１１８の上に接着層１１５が形成され、該接着層１１５の上に第２記録層１２７が積層され、該第２記録層１２７の上に反射膜１２８が積層され、最後に基板層１２５が積層されている。第１記録層１１７及び第２記録層１２７の表面からなる情報記録面には、グルーブトラックＧＴ及びランドトラックＬＴが交互に形成されている。尚、光ディスク１００の記録時及び再生時には、例えば図２に示したように、透明基板１１０を介してグルーブトラックＧＴ上に、レーザ光ＬＢが照射される。例えば、記録時には、記録レーザパワーでレーザ光ＬＢが照射されることで、記録すべきデータに応じて、第１記録層１１７や第２記録層１２７への加熱などによる非可逆変化記録が実施される。他方、再生時には、記録レーザパワーよりも弱い再生レーザパワーでレーザ光ＬＢが照射されることで、第１記録層１１７や第２記録層１２７へ記録されたデータの読出しが実施される。【００６２】
そして、グルーブトラックＧＴは、一定の振幅及び空間周波数で揺動されている。即ち、グルーブトラックＧＴは、ウォブリングされており、そのウォブル１１９の周期は所定値に設定されている。ランドトラックＬＴ上にはプリフォーマットアドレスを示すランドプリピットＬＰＰと呼ばれるアドレスピットが形成されている。この２つのアドレッシング（即ち、ウォブル１１９及びランドプリピットＬＰＰ）により記録中のディスク回転制御や記録クロックの生成、また記録アドレス等のデータ記録に必要な情報を得ることができる。尚、グルーブトラックＧＴのウォブル１１９を周波数変調や位相変調など所定の変調方式により変調することによりプリフォーマットアドレス等のデータ記録に必要な情報を予め記録するようにしてもよい。【００６３】
このウォブル１１９及びランドプリピットＬＰＰを再生すると、図３に示すような再生信号が得られる。図３に示すように、ウォブル１１９及びランドプリピットＬＰＰを再生することで得られる再生信号は、ウォブル１１９の周期に応じた再生信号（例えば、正弦波信号）に対して、この正弦波信号の頂点付近にランドプリピットＬＰＰに対応する再生信号が重畳されている。この再生信号に復調等の処理を施すことで、プリフォーマットアドレス（例えば、後述のＥＣＣブロックアドレス）や記録クロックを取得することができる。更には、後述する各種情報（例えば、後述のレイヤ情報２００等）を取得することができる。【００６４】
尚、光ディスク１００の一具体例たるＤＶＤ−Ｒ／ＲＷであれば、１シンクフレーム当たり８つのウォブル１１９が存在しており、該８つのウォブル１１９のうち先頭の３つのウォブル１１９に、ランドプリピットＬＰＰがその記録すべき情報に応じて形成される。【００６５】
（２）データ構造
続いて、図４から図６を参照して、本実施例に係る情報記録媒体の具体的なデータ構造について説明を進める。ここに、図４は、本実施例に係る光ディスクに記録されているプリピットデータのデータ構造及びデータ内容を示す説明図であり、図５は、本実施例に係る光ディスクに記録されているプリピットデータのより詳細なデータ構造を示す説明図であり、図６は、本実施例に係るプリピットデータに含まれるレイヤ情報のより詳細なデータ構造及びデータ内容を示す説明図である。【００６６】
図４（ａ）に示すように、ランドプリピットＬＰＰには、プリピットデータが記録されており、１つのプリピットデータは、パートＡ及びパートＢなる称呼により区別される２つのデータ群の単位から構成されている。本実施例では、パートＡ及びパートＢの夫々のデータ群の単位で示されるプリピットデータを、フィールドＩＤと称される識別番号により区別している。例えば、本実施例においては、“ＩＤ＿０”から“ＩＤ＿５”までの一連のフィールドＩＤにより、プリピットデータを区別する。例えば１つのプリピットデータ（即ち、パートＡ及びパートＢのデータ群を夫々一つずつ含むプリピットデータ）は、数十周期のウォブル１１９に形成されるランドプリピットＬＰＰにより記録されている。但し、フィールドＩＤの数は、必要に応じて適宜増加させたり或いは減少させてもよいことは言うまでもない。【００６７】
パートＡなるデータ群には、そのプリピットデータが記録されている位置のＥＣＣブロックアドレス等の情報が記録される。また、パートＢなるデータ群には、該データ群が含まれるプリピットデータのフィールドＩＤに応じて、各種異なる情報が記録される。【００６８】
より具体的に説明すると、パートＢなるデータ群には、例えば図４（ｂ）に示すように、“ＩＤ＿０”から“ＩＤ＿５”までの６つのフィールドＩＤに応じて、異なる６種類の情報が記録される。【００６９】
例えばフィールドＩＤが“ＩＤ＿１”にて示されるプリピットデータのパートＢなるデータ群には、当該光ディスク１００を使用するアプリケーションを識別するためのアプリケーションコードが記録される。またフィールドＩＤが“ＩＤ＿３”にて示されるプリピットデータのパートＢなるデータ群には、当該光ディスク１００の製造者を識別するためのマニュファクチャラコードが記録されている。特に、ここでは、マニュファクチャラコードのうちの一部を示す第１マニュファクチャラコードが記録されている。またフィールドＩＤが“ＩＤ＿４”にて示されるプリピットデータのパートＢなるデータ群には、マニュファクチャラコードのうち他の一部を示す第２マニュファクチャラコードが記録されている。また、フィールドＩＤが“ＩＤ＿２”及び“ＩＤ＿５”にて示されるプリピットデータのパートＢなるデータ群は空き領域となっており、将来における機能拡張用にリザーブドエリアとして確保されている。【００７０】
そしてここで説明したフィールドＩＤが“ＩＤ＿１”から“ＩＤ＿５”にて示されるプリピットデータは、主としてリードインエリア１０２、リードアウトエリア１０８及びミドルエリア１０９のいずれか、あるいはその複数のエリアに記録されている。即ち、リードインエリア１０２等に形成されるランドプリピットＬＰＰにより、これらのプリピットデータが記録され、データ記録エリア１０５に形成されるランドプリピットＬＰＰによってはこれらのプリピットデータは記録されていない。但し、データ記録エリア１０５に形成されるランドプリピットＬＰＰによりこれらのプリピットデータが記録されるように構成してもよいことはいうまでもない。【００７１】
本実施例では特に、フィールドＩＤが“ＩＤ＿０”にて示されるプリピットデータのパートＢなるデータ群には、ＥＣＣブロックアドレスと本発明の「性質情報」の一具体例に相当するレイヤ情報２００とが記録される。このフィールドＩＤが“ＩＤ＿０”にて示されるプリピットデータは、光ディスク１００の全エリア（即ち、上述のリードインエリア１０２、データ記録エリア１０５、リードアウトエリア１０８及びミドルエリア１０９等）に渡って記録される。即ち、光ディスク１００の全エリアに渡って形成されるランドプリピットＬＰＰにより、このプリピットデータが記録されている。【００７２】
ここで、フィールドＩＤが“ＩＤ＿０”にて示されるプリピットデータのより詳細なデータ構造について、図５を参照して説明する。図５に示すように、フィールドＩＤが“ＩＤ＿０”にて示されるプリピットデータは、第０フレームから第１５フレームまでの領域に分けられて各種情報が記録されている。各フレームは１３ビットのサイズを有している。そして、第０フレームから第５フレームまでの情報が、上述したパートＡなるデータ群に相当し、第６フレームから第１５フレームまでの情報が、上述したパートＢなるデータ群に相当する。【００７３】
各フレームの先頭ビット（第０ビット目）は、シンクビットとなっており、プリピットデータを識別するための同期をとるために用いられる。また、続く４ビット（第１ビット目から第４ビット目）は、各フレームを識別するためのビットとなっており、各フレームに固有のビット列が記録されている。【００７４】
そして、続く８ビット（第５ビット目から第１２ビット目）に、各フレームに固有の情報が記録されている。例えば、第０フレームから第２フレームまでには、ＥＣＣブロックアドレスが分割されて記録されている。また、第７フレームから第９フレームまでにも、同様のＥＣＣブロックアドレスが分割されて記録されている。また、例えば第６フレームには、当該プリピットデータのフィールドＩＤが記録されている。【００７５】
尚、フィールドＩＤが“ＩＤ＿１”から“ＩＤ＿５”にて示されるプリピットデータについても、図５に示すデータ構造と同様のデータ構造を有しており、例えば第６フレームから第１５フレームまでに、上述したアプリケーションコードや第１又は第２マニュファクチャラコード等が記録されている。【００７６】
本実施例では特に、第１０フレームの第５ビット目から第１２ビット目にレイヤ情報２００が記録されている。レイヤ情報２００は、光ディスク１００の各種状態、性質、種類、ステータス、特徴、特質等を示す情報が含まれている。ここで、レイヤ情報２００のより詳細なデータ構造について、図６を参照してより詳細に説明する。【００７７】
図６に示すように、レイヤ情報２００は、第５ビット目にレイヤフラグ（Layer Flag）２１０を含んでいる。また、第６ビット目から第１２ビット目までは、将来における機能拡張用にリザーブドエリアとして確保されている。このレイヤフラグ２１０は、該レイヤフラグ２１０が含まれるレイヤ情報２００が記録されている記録層が、Ｌ０層であるか否か或いはＬ１層であるか否かを示している。或いは、レイヤフラグ２１０は、該レイヤフラグ２１０が含まれるレイヤ情報２００が記録されている記録層が、単一の記録層を有する光ディスクであるか又は複数の記録層を有する光ディスクであるかを示していてもよい。【００７８】
例えば、レイヤフラグ２１０が“０ｂ”を示していれば、該レイヤフラグ２１０を含むレイヤ情報２００は、Ｌ０層に記録されていることを示している。言い換えれば、現在データの記録を行なっている記録層（即ち、レーザ光ＬＢがフォーカシングされている記録層）はＬ０層であることを示している。他方、レイヤフラグ２１０が“１ｂ”を示していれば、該例やフラグを含むレイヤ情報２００は、Ｌ１層に記録されていることを示している。言い換えれば、現在データの記録を行なっている記録層（即ち、レーザ光ＬＢがフォーカシングされている記録層）はＬ１層であることを示している。【００７９】
即ち、本実施例の如く２層型の光ディスク１００であれば、Ｌ０層におけるランドプリピットＬＰＰには、“０ｂ”にて示されるレイヤフラグ２１０が記録されており、他方Ｌ１層におけるランドプリピットＬＰＰには、“１ｂ”にて示されるレイヤフラグ２１０が記録されている。【００８０】
従って、後述の情報記録再生装置の記録動作中に、今現在データを記録している記録層がＬ０層であるのか又はＬ１層であるのかを比較的容易に判別することができる。そして、レイヤフラグ２１０（或いは、レイヤ情報２００）は、フィールドＩＤが“ＩＤ＿０”にて示されるプリピットデータに含まれて光ディスク１００上に記録されているため、レイヤフラグ２１０は、光ディスク１００の全体に渡って記録されている。このため、光ディスク１００上のいずれの位置にデータを記録していても、迅速に（或いは、即座に又は瞬時に）このレイヤフラグ２１０を読み取り、また取得することができる。即ち、例えばリードインエリア１０２等へわざわざアクセスしてレイヤフラグ２１０を読み取る必要もなく、記録動作に並行して迅速に（或いは、即座に又は）レイヤフラグ２１０を読み取り、また取得することができる。従って、本来記録すべき記録層とは異なる記録層へレーザ光ＬＢがフォーカシングされた場合であっても、該誤ってフォーカシングされていることを比較的容易に且つ迅速に（或いは、即座に又は瞬時に）認識することができる。このため、異なる記録層への誤記録を効果的に防止ないしは抑制することができる。即ち、複数の記録層のうち所望の記録層へ好適にデータを記録することが可能となる。【００８１】
例えば、Ｌ０層にデータを記録している際に、誤ってＬ１層へフォーカスジャンプしてしまった場合においても、誤ってフォーカスジャンプしてしまった先のランドプリピットＬＰＰから迅速に（或いは、即座に又は瞬時に）レイヤフラグ２１０を読み取り、また取得できる。これにより、Ｌ１層へ誤ってフォーカスジャンプしてしまったことを迅速に（或いは、即座に又は瞬時に）認識できるため、Ｌ１層への誤記録を効果的に防止ないしは抑制することができる。また、仮にＬ１層への若干の誤記録が行われてしまったとしても、レイヤフラグ２１０の読み取り及び取得は迅速に（或いは、即座に又は瞬時に）行われるため、１〜２ＥＣＣブロックでその誤記録を停止させることができる。【００８２】
以上説明したように、本実施例に係る光ディスク１００は、レイヤ情報２００が記録されているため、例えば後述の情報記録再生装置の記録動作時において、今現在データを記録している記録層がＬ０層であるのか又はＬ１層であるのかを比較的容易に且つ迅速に（或いは、即座に又は瞬時に）判別することができる。そして、この記録層の判別に基づくことで、好適な記録動作を比較的容易に実現することが可能となる。【００８３】
尚、上述した各種情報以外にも、各記録層の性質や状態等を示すフラグ等が記録されるように構成してもよい。【００８４】
また、上述の実施例では、光ディスク１００の全体に渡って、レイヤ情報２００を含むプリピットデータ（即ち、フィールドＩＤが“ＩＤ＿０”にて示されるプリピットデータ）が記録されているが、これに限定されるものではない。例えば、データ記録エリア１０５のみにレイヤ情報２００を含むプリピットデータを記録するように構成してもよい。或いは、例えばデータ記録エリア１０５の一部にレイヤ情報２００を含むプリピットデータを記録するように構成してもよい。この場合、例えばデータ記録エリア１０５内に均一に（例えば相対的に内周側及び相対的に外周側の夫々に）レイヤ情報２００を含むプリピットデータを記録するように構成してもよい。このように構成すれば、光ディスク１００の全面にレイヤ情報２００を含むプリピットデータが記録されていなくとも、上述した各種利益を相応に享受することができる。或いは、リードインエリア１０２、リードアウトエリア１０８及びミドルエリア１０９の少なくとも一つにのみ、レイヤ情報を含むプリピットデータを記録するように構成してもよい。【００８５】
また、本実施例では、光ディスク１００は、ランドプリピットＬＰＰを備えるＤＶＤ−Ｒ／ＲＷ等の光ディスクを一具体例として説明を進めているが、これに限定されるものではない。例えばＤＶＤ＋Ｒ／ＲＷ等の光ディスクであっても、例えばウォブル１１９に施されるＢＰＭ（Bi Phase Modulation）変調において、同様のレイヤ情報２００が記録されるように構成してもよい。或いは、それ以外の各種情報記録媒体においても、レイヤ情報２００を、記録面の全面又は少なくとも一部に記録するように構成してもよいことはいうまでもない。【００８６】
（３）変形例
続いて、図７を参照して、本実施例に係る情報記録媒体の変形例について説明する。ここに、図７は、変形例に係る情報記録媒体の具体的なデータ構造を概念的に示す説明図である。【００８７】
変形例に係る光ディスクも、上述の光ディスク１００と同様に、フィールドＩＤが“ＩＤ＿０”にて示されるプリピットデータの第１０フレームにレイヤ情報２００ａが記録されている。【００８８】
変形例では特に、レイヤ情報２００ａには、上述のレイヤフラグ２１０に加えて、図７に示すように、メディアフラグ（Media Flag）２２０、レイヤナンバーフラグ（Layer Number Flag）２３０、トラック方向フラグ（Track Direction Flag）２４０及びアドレッシングフラグ（Address Direction Flag）２５０が含まれている。【００８９】
メディアフラグ２２０は、プリピットデータの第１０フレームの第６ビット目に記録され、該メディアフラグ２２０が含まれるフラグ情報２００ａが記録されている記録領域（或いは、更にその近傍）がどのようなタイプの記録領域（或いは、メディア）であるかを示している。例えば、メディアフラグ２２０が“０ｂ”を示していれば、その記録領域は記録可能型の記録領域であることを示している。また、メディアフラグ２２０が“１ｂ”を示していれば、その記録領域は記録可能型の記録領域でないことを示している。或いは、更に細分化して、例えば再生専用型の記録領域であることを示すメディアフラグ２２０を含んでいてもよいし、例えば追記型（即ち、ライトワンス型）の記録領域であることを示すメディアフラグ２２０を含んでいてもよいし、例えば書換可能型（即ち、リレコーダブル型）の記録領域であることを示すメディアフラグ２２０を含んでいてもよい。【００９０】
そして、レイヤ情報２００ａは、上述のレイヤフラグ２１０と同様に光ディスク１００の全面に渡って記録されている。このため、例えば１つの記録層に再生専用型の記録領域と記録可能型の記録領域とが混在しているハイブリッド型光ディスクであれば、再生専用型の記録領域に形成されているランドプリピットＬＰＰを再生すれば、当該記録領域が再生専用型であることを示すメディアフラグ２２０を取得でき、他方記録可能型の記録領域に形成されているランドプリピットＬＰＰを再生すれば、当該記録領域が記録可能型であることを示すメディアフラグ２２０を取得できる。従って、光ディスク１００の全面に渡って形成されているランドプリピットＬＰＰよりその記録領域の相違を（或いは、その境界を）比較的容易に且つ迅速に（或いは、即座に又は瞬時に）認識することができる。このため、記録領域の相違に応じて、記録動作時の記録ストラテジやパワーを迅速に（或いは、即座に又は瞬時に）変化させることができ、その結果より好適な記録動作を実現することが可能となる。もちろん、ハイブリッド型の光ディスクでなくとも、メディアフラグ２２０を参照することで、上述の如き好適な記録動作を実現できることはいうまでもない。【００９１】
レイヤナンバーフラグ２３０は、プリピットデータの第１０フレームの第７ビット目及び第８ビット目に記録され、上述のレイヤフラグ２１０と同様に、該レイヤフラグ２１０が含まれるレイヤ情報２００ａが記録されている記録層が、Ｌ０層であるか否か或いはＬ１層であるか否かを示している。特に、レイヤナンバーフラグ２３０は、３層以上の複数の記録層を有する光ディスクにおいて、夫々の記録層を識別可能に構成されている。【００９２】
例えば、レイヤナンバーフラグ２３０が“００ｂ”を示していれば、該レイヤナンバーフラグ２３０が含まれるレイヤ情報２００ａが記録されている記録層がＬ０層であることを示すように構成してもよい。また例えば、レイヤナンバーフラグ２３０が“０１ｂ”を示していれば、該レイヤナンバーフラグ２３０が含まれるレイヤ情報２００ａが記録されている記録層がＬ１層であることを示すように構成してもよい。例えば、レイヤナンバーフラグ２３０が“１０ｂ”を示していれば、該レイヤナンバーフラグ２３０が含まれるレイヤ情報２００ａが記録されている記録層がＬ２層（即ち、３番目の記録層）であることを示すように構成してもよい。例えば、レイヤナンバーフラグ２３０が“１１ｂ”を示していれば、該レイヤナンバーフラグ２３０が含まれるレイヤ情報２００ａが記録されている記録層がＬ３層（即ち、４番目の記録層）であることを示すように構成してもよい。更に、レイヤナンバーフラグ２３０のために割り当てられるビット数を増加させれば、さらに多くの記録層を識別することができる。【００９３】
そして、このレイヤナンバーフラグ２３０を参照すれば、上述のレイヤフラグ２１０を参照した場合と同様の各種利益を享受することができる。【００９４】
トラック方向フラグ２４０は、プリピットデータの第１０フレームの第１０ビット目に記録されており、該トラック方向フラグ２４０が含まれるフラグ情報２００ａが記録されている記録領域（或いは、更にその近傍）のトラック（上述のグルーブトラックＧＴやランドトラックＬＴ等）がいずれの方向に進行するトラックであるかを示している。例えば、トラック方向フラグ２４０が“０ｂ”を示していれば、該トラック方向フラグ２４０が含まれるレイヤ情報２００ａが記録されている記録領域のトラックが、内周側から外周側に進行するトラックであることを示していてもよい。また例えば、トラック方向フラグ２４０が“１ｂ”を示していれば、該トラック方向フラグ２４０が含まれるレイヤ情報２００ａが記録されている記録領域のトラックが、外周側から内周側に進行するトラックであることを示していてもよい。【００９５】
例えば、Ｌ０層とＬ１層との夫々においてトラックの進行方向が同一となるパラレルトラックパス方式の光ディスクであれば、Ｌ０層及びＬ１層の夫々におけるランドプリピットＬＰＰより得られるトラック方向フラグ２４０は、共に同じ値を有する。或いは、Ｌ０層とＬ１層との夫々においてトラックの進行方向が逆となるオポジットトラックパス方式の光ディスクであれば、Ｌ０層のランドプリピットＬＰＰより得られるトラック方向フラグ２４０とＬ１層のランドプリピットＬＰＰより得られるトラック方向フラグ２４０とは、相互に異なる値を有する。【００９６】
特に１つの記録層の中においてトラックの方向が変化する光ディスクであれば、このトラック方向フラグ２４０を参照することで、比較的容易に且つ即座に或いは瞬時にトラック方向やトラック方向が切り替わる境界部分を認識することができる。従って、トラック方向の変化に応じて、例えばトラックジャンプの方向や光ピックアップを動かすためのスライダの移動方向等を比較的容易に且つ迅速に（或いは、即座に又は瞬時に）認識することができる。その結果、より好適な記録動作を行なうことが可能となる。もちろん、１つの記録層の中においてトラックの方向が変化する光ディスクでなくとも、トラック方向フラグ２４０を参照することで、上述の如き好適な記録動作を実現できることはいうまでもない。【００９７】
アドレッシングフラグ２５０は、プリピットデータの第１０フレームの第１２ビット目に記録されており、該アドレッシングフラグ２５０が含まれるレイヤ情報２００ａが記録されている記録領域（或いは、更にその近傍）におけるＥＣＣブロックアドレスのアドレッシングの形態（即ち、ＥＣＣブロックアドレスの記録の態様）を示している。例えば、アドレッシングフラグ２５０が“０ｂ”を示していれば、該アドレッシングフラグ２５０が含まれるレイヤ情報２００ａが記録されている記録領域におけるアドレッシングは、デクリメント（Decrement）型であることを示していてもよい。尚、デクリメント型のアドレッシングとは、例えばランドプリピットＬＰＰに記録されているＥＣＣブロックアドレスの値が、光ディスク１００の内周側から外周側に向かって単調に減少するアドレッシングの態様を示す。また例えば、アドレッシングフラグ２５０が“１ｂ”を示していれば、該アドレッシングフラグ２５０が含まれるレイヤ情報２００ａが記録されている記録領域におけるアドレッシングは、インクリメント（Increment）型であることを示していてもよい。尚、インクリメント型のアドレッシングとは、ランドプリピットＬＰＰに記録されているＥＣＣブロックアドレスの値が、例えば光ディスク１００の内周側から外周側に向かって単調に増加するアドレッシングの態様を示す。【００９８】
或いは、例えば、アドレッシングフラグ２５０が“０ｂ”を示していれば、該アドレッシングフラグ２５０が含まれるレイヤ情報２００ａが記録されている記録領域におけるアドレッシングが、ビット反転（bit-inverted）型であることを示していてもよい。尚、ビット反転型のアドレッシングとは、例えば光ディスク１００上における記録されるデータのアドレスを示すフィジカルセクターナンバーの値とランドプリピットＬＰＰに記録されるＥＣＣブロックアドレスの値とがビット反転の関係にあるアドレッシングの態様を示す。また例えば、アドレッシングフラグ２５０が“１ｂ”を示していれば、該アドレッシングフラグ２５０が含まれるレイヤ情報２００ａが記録されている記録領域におけるアドレッシングが、ビット非反転（bit-non-inverted）型であることを示していてもよい。尚、ビット非反転型のアドレッシングとは、例えば光ディスク１００上における記録されるデータのアドレスを示すフィジカルセクターナンバーの値とランドプリピットＬＰＰに記録されるＥＣＣブロックアドレスの値とがビット反転の関係にないアドレッシングの態様を示す。【００９９】
特に、１つの記録層の中においてアドレッシングの態様が変化する光ディスクであれば、このアドレッシングフラグ２５０を参照することで、比較的容易に且つ迅速に（或いは、即座に又は瞬時に）アドレッシングの態様やアドレッシングの態様が切り替わる境界部分を認識することができる。従って、アドレッシングの態様の変化に応じて、例えばトラックジャンプの方向や光ピックアップを動かすためのスライダの移動方向等を比較的容易に且つ迅速に（或いは、即座に又は瞬時に）認識することができる。その結果、より好適な記録動作を行なうことが可能となる。もちろん、１つの記録層の中においてアドレッシングの態様が変化する光ディスクでなくとも、アドレッシングフラグ２５０を参照することで、上述の如き好適な記録動作を実現できることはいうまでもない。【０１００】
尚、上述の実施例及び変形例において説明したレイヤ情報２００（或いは、その中に含まれるレイヤフラグ２１０等の各種情報）が記録されているビット位置やサイズやフレーム番号等はあくまで一例であり、上述の説明の範囲に限定されないことはいうまでもない。例えば、現行の光ディスクの規格上、プリピットデータとして空き領域が存在していれば、その空き領域に上述したレイヤ情報２００等を記録するように構成してもよいことはいうまでもない。【０１０１】
また、上述の実施例及び変形例においては、２つの記録層を有する光ディスク１００を具体例として説明を進めたが、もちろん３層以上の記録層を有する光ディスクにおいても同様の構成を採用してもよい。また、単一の記録層を有する光ディスクにおいても同様の構成を採用してもよい。【０１０２】
（情報記録再生装置）
続いて、図８から図１１を参照して本発明の情報記録装置に係る実施例である情報記録再生装置について説明する。【０１０３】
（１）基本構成
先ず、図８を参照して、本実施例に係る情報記録再生装置３００及び、ホストコンピュータ４００の構成について説明する。ここに、図８は、本実施例に係る情報記録再生装置及びホストコンピュータのブロック図である。尚、情報記録再生装置３００は、光ディスク１００に記録データを記録する機能と、光ディスク１００に記録された記録データを再生する機能とを備える。【０１０４】
図２を参照して情報記録再生装置３００の内部構成を説明する。情報記録再生装置３００は、ドライブ用のＣＰＵ（Central Processing Unit）３５４の制御下で、光ディスク１００に情報を記録すると共に、光ディスク１００に記録された情報を読み取る装置である。【０１０５】
情報記録再生装置３００は、光ディスク１００、スピンドルモータ３５１、光ピックアップ３５２、信号記録再生手段３５３、ＣＰＵ（ドライブ制御手段）３５４、メモリ３５５、データ入出力制御手段３０６、及びバス３５７を備えて構成されている。また、ホストコンピュータ４００は、ＣＰＵ３５９、メモリ３６０、操作／表示制御手段３０７、操作ボタン３１０、表示パネル３１１、及びデータ入出力制御手段３０８を備えて構成される。【０１０６】
スピンドルモータ３５１は光ディスク１００を回転及び停止させるもので、光ディスク１００へのアクセス時に動作する。より詳細には、スピンドルモータ３５１は、図示しないサーボユニット等によりスピンドルサーボを受けつつ所定速度で光ディスク１００を回転及び停止させるように構成されている。【０１０７】
光ピックアップ３５２は、光ディスク１００への記録再生を行うために、例えば半導体レーザ装置とレンズ等から構成される。より詳細には、光ピックアップ３５２は、光ディスク１００に対してレーザ光を、再生時には読み取り光として第１のパワーで照射し、記録時には書き込み光として第２のパワーで且つ変調させながら照射する。【０１０８】
信号記録再生手段３５３は、スピンドルモータ３５１と光ピックアップ３５２を制御することで光ディスク１００に対して記録再生を行う。より具体的には、信号記録再生手段３５３は、例えば、レーザダイオード（ＬＤ）ドライバ及びヘッドアンプ等によって構成されている。レーザダイオードドライバ（ＬＤドライバ）は、光ピックアップ３５２内に設けられた図示しない半導体レーザを駆動する。ヘッドアンプは、光ピックアップ３５２の出力信号、即ち、レーザ光の反射光を増幅し、該増幅した信号を出力する。より詳細には、信号記録再生手段３５３は、ＯＰＣ（Optimum Power Control）処理時には、ＣＰＵ３５４の制御下で、図示しないタイミング生成器等と共に、ＯＰＣパターンの記録及び再生処理により最適なレーザパワーの決定が行えるように、光ピックアップ３５２内に設けられた図示しない半導体レーザを駆動する。【０１０９】
メモリ３５５は、記録再生データのバッファ領域や、信号記録再生手段３５３で使用出来るデータに変換する時の中間バッファとして使用される領域など情報記録再生装置３００におけるデータ処理全般及びＯＰＣ処理において使用される。また、メモリ３５５はこれらレコーダ機器としての動作を行うためのプログラム、即ちファームウェアが格納されるＲＯＭ領域と、記録再生データの一時格納用バッファや、ファームウェアプログラム等の動作に必要な変数が格納されるＲＡＭ領域などから構成される。【０１１０】
ＣＰＵ（ドライブ制御手段）３５４は、信号記録再生手段３５３及びメモリ３５５と、バス３５７を介して接続され、各種制御手段に指示を行うことで、情報記録再生装置３００全体の制御を行う。通常、ＣＰＵ３５４が動作するためのソフトウェア又はファームウェアは、メモリ３５５に格納されている。【０１１１】
データ入出力制御手段３０６は、情報記録再生装置３００に対する外部からのデータ入出力を制御し、メモリ３５５上のデータバッファへの格納及び取り出しを行う。情報記録再生装置３００とＳＣＳＩや、ＡＴＡＰＩなどのインタフェースを介して接続されている外部のホストコンピュータ４００（以下、適宜ホストと称す）から発行されるドライブ制御命令は、データ入出力制御手段３０６を介してＣＰＵ３５４に伝達される。また、記録再生データも同様にデータ入出力制御手段３０６を介して、ホストコンピュータ４００とやり取りされる。【０１１２】
操作／表示制御手段３０７はホストコンピュータ４００に対する動作指示受付と表示を行うもので、例えば記録又は再生といった操作ボタン３１０による指示をＣＰＵ３５９に伝える。ＣＰＵ３５９は、操作／表示制御手段３０７からの指示情報を元に、データ入出力手段３０８を介して、情報記録再生装置３００に対して制御命令（コマンド）を送信し、情報記録再生装置３００全体を制御する。同様に、ＣＰＵ３５９は、情報記録再生装置３００に対して、動作状態をホストコンピュータ４００に送信するように要求するコマンドを送信することができる。これにより、記録中や再生中といった情報記録再生装置３００の動作状態が把握できるためＣＰＵ３５９は、操作／表示制御手段３０７を介して蛍光管やＬＣＤなどの表示パネル３１１に情報記録再生装置３００の動作状態を出力することができる。【０１１３】
メモリ３６０は、ホストコンピュータ４００が使用する内部記憶装置であり、例えばＢＩＯＳ（Basic Input／Output System)等のファームウェアプログラムが格納されるＲＯＭ領域、オペレーティングシステムや、アプリケーションプログラム等の動作に必要な変数等が格納されるＲＡＭ領域などから構成される。また、データ入出力制御手段３０８を介して、図示しないハードディスク等の外部記憶装置に接続されていてもよい。【０１１４】
以上説明した、情報記録再生装置３００とホストコンピュータ４００を組み合わせて使用する一具体例は、映像を記録再生するレコーダ機器等の家庭用機器である。このレコーダ機器は放送受信チューナや外部接続端子からの映像信号をディスクに記録し、テレビなど外部表示機器にディスクから再生した映像信号を出力する機器である。メモリ３６０に格納されたプログラムをＣＰＵ３５９で実行させることでレコーダ機器としての動作を行っている。また、別の具体例では、情報記録再生装置３００はディスクドライブ（以下、適宜ドライブと称す）であり、ホストコンピュータ４００はパーソナルコンピュータやワークステーションである。パーソナルコンピュータ等のホストコンピュータ４００とディスクドライブはＳＣＳＩやＡＴＡＰＩといったデータ入出力制御手段３０６及び３０８を介して接続されており、ホストコンピュータ４００にインストールされているライティングソフトウェア等のアプリケーションが、ディスクドライブを制御する。【０１１５】
（２）記録動作例
続いて、図９から図１１を参照して、本実施例に係る情報記録再生装置による記録動作について説明する。ここに、図９は、記録動作全体の流れを概念的に示すフローチャートであり、図１０は、レイヤジャンプ動作の流れを概念的に示すフローチャートであり、図１１は、記録中断動作の流れを概念的に示すフローチャートである。【０１１６】
図９に示すように、ＣＰＵ３５４の制御の下に、まずデータの記録を開始する記録領域の手前の位置まで光ピックアップ３５２が移動されて、該手前の位置における記録領域がサーチされる（ステップＳ１０１）。続いて、この手前の位置における記録領域に、読み取り光として第１のパワーでレーザ光ＬＢが照射され、ランドプリピットＬＰＰが再生される（ステップＳ１０２）。続いて、再生されたランドプリピットＬＰＰより取得されるプリピット信号に含まれるレイヤ情報２００（特に、レイヤフラグ２１０）が取得される（ステップＳ１０３）。【０１１７】
その後、ＣＰＵ３５４の制御の下に、このレイヤフラグ２１０に基づいて、今現在レーザ光ＬＢをフォーカシングしている記録層がこれからデータを記録しようとしている目標の記録層であるか否かが判定される（ステップＳ１０４）。【０１１８】
この判定の結果、目標の記録層でないと判定された場合（ステップＳ１０４：Ｎｏ）、目標の記録層へレーザ光ＬＢをフォーカシングするべく、レイヤジャンプ動作を行なう（ステップＳ１１０）。このレイヤジャンプ動作については、後に詳述する（図１０参照）。【０１１９】
他方、目標の記録層であると判定された場合（ステップＳ１０４：Ｙｅｓ）、続いて、ＣＰＵ３５４の制御の下に、データの記録を開始する記録領域にレーザ光ＬＢを照射できるか否かが判定される（ステップＳ１０５）。即ち、光ピックアップ３５２が、データの記録を開始する記録領域に移動されているか否かが判定される。【０１２０】
この判定の結果、照射できないと判定された場合（ステップＳ１０５：Ｎｏ）、データの記録を開始する記録領域にレーザ光ＬＢを照射できるように、光ピックアップ３５２等が所望の位置へ移動される（ステップＳ１０９）。【０１２１】
他方、照射できると判定された場合（ステップＳ１０５：Ｙｅｓ）、記録動作が開始され、データ記録エリア１０５等にデータが記録されていく（ステップＳ１０６）。即ち、書き込み光としての第２のパワーを有するレーザ光ＬＢが照射され、データが記録されていく。【０１２２】
この記録動作の際には、リアルタイムで或いは所定のタイミングでレイヤフラグ２１０等が参照され、ＣＰＵ３５４の制御の下に、今現在レーザ光ＬＢがフォーカシングされている記録層がデータを記録すべき目標の（或いは、正しい）記録層であるか否かが判定される（ステップＳ１０７）。【０１２３】
この判定の結果、目標の記録層でないと判定された場合（ステップＳ１０７：Ｎｏ）、記録中断動作を行なう（ステップＳ１１１）。尚、この記録中断動作については、後に詳述する（図１１参照）。【０１２４】
他方、目標の記録層であると判定された場合（ステップＳ１０７：Ｙｅｓ）、続いて、ＣＰＵ３５４の制御の下に、記録動作を終了するか否かが判定される（ステップＳ１０８）。例えば、記録すべきデータの全てを記録していれば終了すると判定されてもよいし、ユーザにより記録停止の指示がなされれば終了すると判定されてもよい。【０１２５】
この判定の結果、記録動作を終了しないと判定された場合（ステップＳ１０８：Ｎｏ）、再びステップＳ１０６に戻って記録動作を継続する。他方、記録動作を終了すると判定された場合（ステップＳ１０８：Ｙｅｓ）、記録動作を終了し、必要に応じて光ディスク１００のファイナライズ処理を行ったり、或いは光ディスク１００を情報記録再生装置３００よりイジェクトしてもよい。【０１２６】
続いて、レイヤジャンプ動作について、図１０を参照しながら説明する。図１０に示すように、ＣＰＵ３５４の制御の下に、目標の記録層へフォーカスジャンプするための各種パラメータが設定される（ステップＳ２０１）。例えば、今現在レーザ光ＬＢをフォーカシングしている記録層から目標の記録層へフォーカスジャンプするための最適な制御電圧が適宜設定される。続いて、ＣＰＵ３５４の制御の下に、目標の記録層へのフォーカスジャンプが行われる（ステップＳ２０３）。即ち、目標の記録層へのレーザ光ＬＢのフォーカシングが行われる。具体的には、例えば光ピックアップ３５２（或いは、光ピックアップ３５２に含まれる対物レンズ）を光ディスク１００の記録面に対して近づけたり又は遠ざけたりすることで、レーザ光ＬＢのフォーカシングが行われる。【０１２７】
その後、フォーカスジャンプした先のランドプリピットＬＰＰが再生され、レイヤフラグ２１０が取得される（ステップＳ１０３）。そして、ＣＰＵ３５４の制御の下に、このレイヤフラグ２１０に基づいて、今現在レーザ光ＬＢをフォーカシングしている記録層がこれからデータを記録しようとしている目標の記録層であるか否かが判定される（ステップＳ１０４）。即ち、フォーカスジャンプが正常に行われたか否かが判定される。【０１２８】
この判定の結果、目標の記録層でないと判定された場合（ステップＳ１０４：Ｎｏ）、レイヤジャンプ動作が正常に行なわれなかったため、再び上述のステップＳ２０１及びＳ２０２の動作を行ない、目標の記録層へのフォーカスジャンプが行われる。【０１２９】
他方、目標の記録層であると判定された場合（ステップＳ１０４：Ｙｅｓ）、レイヤジャンプ動作が正常に行なわれているため、レイヤジャンプ動作を終了し、再びデータの記録動作に戻る。【０１３０】
続いて、記録中断動作について、図１１を参照しながら説明する。図１１に示すように、まず照射しているレーザ光ＬＢのパワーを、例えば読み取り光としての第１のパワー以下に低下させるないしは０にすることで、データの記録を中断する（ステップＳ３０１）。【０１３１】
その後、上述のレイヤジャンプ動作と同様に、目標記録層へのフォーカスジャンプが行われ、且つフォーカスジャンプした先の記録層が目標記録層となっているか否かが判定される（ステップＳ２０１、Ｓ２０２、Ｓ１０３、Ｓ１０４）。【０１３２】
この判定の結果、目標の記録層でないと判定された場合（ステップＳ１０４：Ｎｏ）、レイヤジャンプ動作が正常に行なわれなかったため、再び上述のステップＳ２０１及びＳ２０２の動作を行ない、目標の記録層へのフォーカスジャンプが行われる。【０１３３】
他方、目標の記録層であると判定された場合（ステップＳ１０４：Ｙｅｓ）、レイヤジャンプ動作が正常に行なわれているため、続いて、ＣＰＵ３５４の制御の下に、正しくデータが記録された最後の記録領域がサーチされ、その記録領域のＥＣＣブロックアドレスが取得される（ステップＳ３０２）。例えば、Ｌ０層にデータを記録中に誤ってＬ１層へフォーカシングしてしまった場合には、誤ってＬ１層へフォーカシングされた直前にデータを記録していたＬ０層の記録領域のＥＣＣブロックアドレスが取得される。【０１３４】
その後、ＣＰＵ３５４の制御の下に、ステップＳ３０２において取得されたＥＣＣブロックアドレスの位置から記録すべきデータが抽出ないしは生成される（ステップＳ３０３）。その後、記録動作が再開され、ステップＳ３０２において取得されたＥＣＣブロックアドレスの記録領域より、続けて記録すべきデータが記録される
このように、本実施例に係る情報記録再生装置３００は、レイヤ情報２００を参照することで、今現在データを記録している記録層がＬ０層であるのか又はＬ１層であるのかを比較的容易に且つ迅速に（或いは、即座に又は瞬時に）判別することができる。そして、この記録層の判別に基づくことで、例えば誤ってフォーカスジャンプ等してしまった場合に、迅速に（或いは、即座に又は瞬時に）誤ってフォーカスジャンプ等が行われたことを認識し、元の記録層へ再度フォーカシングすることができる。その結果、好適な記録動作を比較的容易に実現することが可能となる。【０１３５】
また、上述の実施例では、情報記録媒体の一例として光ディスク１００及び情報記録装置の一例として光ディスク１００に係るレコーダについて説明したが、本発明は、光ディスク及びそのレコーダに限られるものではなく、他の高密度記録或いは高転送レート対応の各種情報記録媒体並びにそのレコーダにも適用可能である。【０１３６】
本発明は、上述した実施例に限られるものではなく、請求の範囲及び明細書全体から読み取れる発明の要旨或いは思想に反しない範囲で適宜変更可能であり、そのような変更を伴う情報記録媒体、情報記録装置及び方法、並びに記録制御用のコンピュータプログラムもまた本発明の技術的範囲に含まれるものである。
【産業上の利用可能性】
【０１３７】
本発明に係る情報記録媒体、情報記録装置、並びにコンピュータプログラムは、例えば、ＤＶＤ等の高密度光ディスクに利用可能であり、更にＤＶＤレコーダ等の情報記録装置に利用可能である。また、例えば民生用或いは業務用の各種コンピュータ機器に搭載される又は各種コンピュータ機器に接続可能な情報記録装置等にも利用可能である。
【図１】
2006003978.tif 000002
【図２】
2006003978.tif 000003
【図３】
2006003978.tif 000004
【図４】
2006003978.tif 000005
【図５】
2006003978.tif 000006
【図６】
2006003978.tif 000007
【図７】
2006003978.tif 000008
【図８】
2006003978.tif 000009
【図９】
2006003978.tif 000010
【図１０】
2006003978.tif 000011
【図１１】
2006003978.tif 000012
【手続補正書】
【提出日】平成18年12月12日(2006.12.12)
【手続補正１】
【補正対象書類名】特許請求の範囲
【補正対象項目名】全文
【補正方法】変更
【補正の内容】
【特許請求の範囲】
【請求項１】
記録情報を記録するための複数の記録層を備えており、
前記複数の記録層の夫々には、複数のフレームからなるプリピットデータが記録されており、
前記複数のフレームの夫々には、前記プリピットデータを識別する際の同期をとるためのシンクビット、前記フレーム夫々を識別するための識別ビット列及び前記フレーム夫々に固有の情報である固有情報ビット列が、この順に含まれており、
前記複数のフレームのうちの一のフレームには、前記固有情報ビット列の先頭ビットに前記複数の記録層の夫々を識別する層識別フラグが含まれていることを特徴とする情報記録媒体。
【請求項２】
前記プリピットデータは、２つのデータ群を含んでおり、
前記２つのデータ群のうちの第１のデータ群には、前記プリピットデータが記録されている位置のＥＣＣブロックアドレス及びパリティが、この順に含まれており、
前記２つのデータ群のうちの第２のデータ群には、前記ＥＣＣブロックアドレス、前記層識別フラグ及びパリティが、この順に含まれていることを特徴とする請求項１に記載の情報記録媒体。
【請求項３】
前記第２のデータ群には、前記プリピットデータを区別するためのフィールドＩＤが先頭に含まれており、且つ、前記固有情報ビット列及び前記パリティの間に、リザーブドエリアとしての空き領域が確保されていることを特徴とする請求項２に記載の情報記録媒体。
【請求項４】
前記第１のデータ群は、６フレームからなり、前記第２のデータ群は、１０フレームからなることを特徴とする請求項２に記載の情報記録媒体。
【請求項５】
前記シンクビットは１ビットのサイズを有しており、前記識別ビット列は４ビットのサイズを有しており、前記固有情報ビット列は８ビットのサイズを有していることを特徴とする請求項１に記載の情報記録媒体。
【請求項６】
前記複数の記録層の夫々は、前記記録情報を記録するためのデータ記録エリアを備えており、
前記プリピットデータは、前記夫々の記録層における前記データ記録エリア全体に分布するように記録されていることを特徴とする請求項１に記載の情報記録媒体。
【請求項７】
前記プリピットデータは、前記夫々の記録層全体に分布するように記録されていることを特徴とする請求項１に記載の情報記録媒体。
【請求項８】
前記プリピットデータは、前記夫々の記録層の記録タイプの種別を示すタイプフラグを含むことを特徴とする請求項１に記載の情報記録媒体。
【請求項９】
前記プリピットデータは、前記夫々の記録層における記録トラックの進行方向を示すトラック方向フラグを含むことを特徴とする請求項１に記載の情報記録媒体。
【請求項１０】
前記プリピットデータは、前記夫々の記録層におけるアドレス情報の記録態様を示すアドレスフラグを含むことを特徴とする請求項１に記載の情報記録媒体。
【請求項１１】
記録情報を記録するための複数の記録層を備えており、前記複数の記録層の夫々には、複数のフレームからなるプリピットデータが記録されており、前記複数のフレームの夫々には、前記プリピットデータを識別する際の同期をとるためのシンクビット、前記フレーム夫々を識別するための識別ビット列及び前記フレーム夫々に固有の情報である固有情報ビット列が、この順に含まれており、前記複数のフレームのうちの一のフレームには、前記固有情報ビット列の先頭ビットに前記複数の記録層の夫々を識別する層識別フラグが含まれている情報記録媒体より、前記層識別フラグを取得する取得手段と、
前記取得された層識別フラグに基づいて、前記記録情報を記録する記録手段と
を備えることを特徴とする情報記録装置。
【請求項１２】
請求の範囲第１１項に記載の情報記録装置に備えられたコンピュータを制御する記録制御用のコンピュータプログラムであって、該コンピュータを、前記取得手段及び前記記録手段のうち少なくとも一部として機能させることを特徴とするコンピュータプログラム。
【国際調査報告】
2006003978.tif 000013
2006003978.tif 000014
2006003978.tif 000015
2006003978.tif 000016